(57)【要約】【課題】係止部材を被着部材に取り付け易く、マットが押される際に係止部材を降下できる上に、マットの取り外し時に係止部材の離脱を防止できるようにした。【解決手段】マット係止部材１は、マット３を担架のカバー４に取り付けて固定する。マット係止部材１は、カバー４の穴部４ａに装着されていて貫通孔６ａを有するアダプター６と、マット３のマット穴３ａを通してアダプター６の貫通孔６ａに挿入されて進退可能に保持されるマットピン９と、を有する。マットピン９に形成された摺動軸部９ｃに穴を挿通させたワッシャー１３を保持し、ワッシャー１３を摺動軸部９ｃに沿って摺動可能とした。ワッシャー１３はマットピン９の係止突部９ｄに係止された状態で、マットピン９の拡径頭部９ａとの間でマット３を挟持する。【選択図】図２
2020012536.tif 000002
【特許請求の範囲】
【請求項１】
マットを被着部材に取り付けるマット係止部材において、
前記被着部材に設けられていて貫通孔を有する係止受け部と、
前記係止受け部の貫通孔に挿入されて進退可能に保持されると共に前記マットを係止する拡径頭部を有する係止部材と、
前記係止部材に形成された摺動軸部に沿って摺動可能に保持されていて前記拡径頭部との間で前記マットを保持する把持部材と、を備え、
前記係止部材には、前記把持部材の摺動を規制する係止突部が設けられていることを特徴とするマット係止部材。
【請求項２】
前記係止受け部は前記被着部材の穴部に上方から装着されており、
前記係止部材は、前記把持部材の穴を貫通して前記係止受け部の貫通孔に上方から挿入されている請求項１に記載されたマット係止部材。
【請求項３】
マットを被着部材に取り付けるマット係止部材において、
前記被着部材に設けられていて貫通孔を有する係止受け部と、
前記係止受け部の貫通孔に挿入されて進退可能に保持されると共に前記マットを係止する拡径頭部を有する係止部材と、
前記係止部材に形成された摺動軸部に沿って摺動可能に保持されていて前記拡径頭部との間で前記マットを保持する把持部材と、を備え、
前記係止部材に設けられた係止突部によって前記把持部材を係止することで、前記マットに対する前記係止部材の離脱を阻止していることを特徴とするマット係止部材。
【発明の詳細な説明】
【技術分野】
【０００１】
本発明は、例えば担架や車椅子等の各種の機器等に設けた被着部材にマットを取り付けるためのマット係止部材に関する。
【背景技術】
【０００２】
従来、例えば介護施設や病院等で身障者や老人等の要介護者を入浴させる際、要介護者を例えば入浴用の担架や車椅子に載置させて浴槽に入浴させている。この場合、担架や車椅子には基板上にマットが敷設され、マットをマットピン等の係止部材で基板に固定している。
【０００３】
例えば、図８に示す担架に設けられたマット１００では、担架の基板１０１に設けた穴部を通してマット止め用の受け部１０２を取り付けて基板１０１の裏面からナット１０３で固定する。そして、マット１００の上からマットピン１０５を挿入してワッシャー１０６で受け部１０２に係止させることでマット１００を取り付けている。
このような入浴用の担架では、マット１００に要介護者が仰臥した際、マット１００は圧縮されて降下するが、マットピン１０５はワッシャー１０６と受け部１０２で係止されているため降下しない。そのため、突出したマットピン１０５の頭部が要介護者の身体に当たるという問題があった。
【０００４】
これに対し、特許文献１に記載されたマット止めクリップでは、担架の基板に取り付けた係合釦の貫通穴に、マットを挟んでマット係止ピンを挿入してマットを固定している。しかも、マット係止ピンは上部にマットを押さえる拡径した頭部が形成され、下部に係合釦の貫通穴に係止する拡径したピン鉤部が設けられている。そのため、マットに要介護者が仰臥した際、マットが押されると降下し、マット係止ピンも押されると係合釦の貫通穴に沿って降下するため、マット係止ピンが突出して要介護者の身体に当たることが抑えられる。
【先行技術文献】
【特許文献】
【０００５】
【特許文献１】特開平１１−３１１２２４号公報
【発明の概要】
【発明が解決しようとする課題】
【０００６】
しかしながら、上述した特許文献１に記載されたマット係止部材では、マット係止ピンをマットを介して係合釦の貫通穴に挿入する際、拡径したピン鉤部が貫通穴を通りにくく係合に手間がかかっていた。しかも、マット係止ピンをマットの穴を通して係合釦の貫通穴に挿入する際、マット係止ピンが傾きやすく直角に挿入しにくいという問題があった。
また、マットだけが押された場合にマット係止ピンが降下しないため、マットから突出しているおそれがある。しかも、入浴後にマットを基板から外す場合にピン鉤部が外れにくく強い力が必要である上に、外れると勢い余ってマット係止ピンがマットから離脱するおそれがあるという問題もある。
【０００７】
本発明は、このような事情に鑑みてなされたもので、係止部材を被着部材に取り付け易く、マットが押される際に係止部材を降下できる上に、マットの取り外し時に係止部材の離脱を防止できるようにしたマット係止部材を提供することを目的とする。
【課題を解決するための手段】
【０００８】
本発明によるマット係止部材は、マットを被着部材に取り付けるマット係止部材において、被着部材に設けられていて貫通孔を有する係止受け部と、係止受け部の貫通孔に挿入されて進退可能に保持されると共にマットを係止する拡径頭部を有する係止部材と、係止部材に形成された摺動軸部に沿って摺動可能に保持されていて拡径頭部との間でマットを保持する把持部材と、を備え、係止部材には、把持部材の摺動を規制する係止突部が設けられていることを特徴とする。
本発明によれば、マットが押されると、マットは係止部材の拡径頭部と把持部材とで挟まれて移動するため、把持部材と係止部材も一体に移動するので係止部材が取り残されて相対的にマットから突出しない。しかも、把持部材は係止部材の摺動軸部に沿って摺動可能であるため、マットが押されて把持部材が係止受け部に当接すると、その後は、マットの圧縮に沿って係止部材だけが貫通孔内を移動可能である。
【０００９】
また、係止受け部は被着部材の穴部に上方から装着されており、係止部材は、把持部材の穴を貫通して係止受け部の貫通孔に上方から挿入されていることが好ましい。
マットを被着部材に取り付ける際、係止受け部と係止部材を共に上方から取り付けるため取付け作業が容易になる。しかも、係止部材は把持部材を介して係止受け部の貫通孔に挿入されるために、挿入時に傾くことを防止して直線的に挿入できて取り付け作業が容易である。
【００１０】
本発明によるマット係止部材は、マットを被着部材に取り付けるマット係止部材において、被着部材に設けられていて貫通孔を有する係止受け部と、係止受け部の貫通孔に挿入されて進退可能に保持されると共にマットを係止する拡径頭部を有する係止部材と、係止部材に形成された摺動軸部に沿って摺動可能に保持されていて拡径頭部との間でマットを保持する把持部材と、を備え、係止部材に設けられた係止突部によって把持部材を係止することで、マットに対する係止部材の離脱を阻止していることを特徴とする。
本発明によれば、マットが押されると把持部材を押すため、係止突起を介して係止部材もマットと共に移動し、係止部材が取り残されて相対的にマットから突出しない。しかも、マットを被着部材から取り外す際には、マットに当接する把持部材が係止部材の係止突部に係止しているためマットに対する係止部材の離脱が把持部材によって阻止され、マットと係止部材を一体に取り外すことができる。
【発明の効果】
【００１１】
本発明に係るマット係止部材によれば、マットが押されて圧縮される際に、把持部材を介して係止部材も連動して移動するため、係止部材の拡径頭部が取り残されてマットから相対的に突出することがない。
マットを被着部材から取り外す際には、把持部材が係止部材の係止突部に係止しているためマットに対する係止部材の離脱が阻止され、マットと係止部材を一体に取り外すことができる。
また、マットの取付けに際して、係止部材を、把持部材を通して被着部材に設けた係止受け部の貫通孔に挿入するため、把持部材で係止部材の挿入をガイドして略垂直にまたは直線的に係止受け部に挿入でき、作業性が向上する。
【図面の簡単な説明】
【００１２】
【図１】本発明の第一実施形態において、マットを担架のカバーに装着した平面図である。
【図２】図１に示すマット係止部材のＡ−Ａ線断面図である。
【図３】マット係止部材の分解断面図である。
【図４】係止ピンとワッシャーの正面図である。
【図５】マットを押圧した状態の断面図である。
【図６】第二実施形態によるマット係止部材の断面図である。
【図７】マット係止部材の分解断面図である。
【図８】従来のマット係止部材の断面図である。
【発明を実施するための形態】
【００１３】
以下、図面を参照して、本発明の実施の形態によるマット係止部材について説明する。
図１乃至図５は本発明の第一実施形態によるマット係止部材１を示すものである。図1は、介護機器として、例えば入浴用の担架２の表面にマット３を取り付けた状態の図である。図２に示すように、マット３は複数のマット係止部材１によって担架２の表面に設けた被着部材としてのカバー４の上に固定されている。マット係止部材１はマット３に所定間隔で取り付けられている。カバー４は担架２の表面に固定された、例えば樹脂製または金属製の基部である。
【００１４】
図２及び図３において、カバー４に形成された穴部４ａには係止受け部としてアダプター６が装着されている。カバー４の穴部４ａは例えば平面視円形であって断面視でテーパ形状であり、上面から下方に向けて縮径する上部テーパ部４ｂと、更に下方の下面に向けて拡径する下部テーパ部４ｃとで形成されている。アダプター６は略鼓形状を有しており、中央に貫通孔６ａが形成され、外周面には断面略Ｕ字状またはＶ字状の凹曲部６ｂが全周に形成されている。しかも、アダプター６の上部フランジ部６ｃは下部フランジ部６ｄよりも拡径された形状を有しており、上部フランジ部６ｃがカバー４の穴部４ａの周辺部に着座している。
アダプター６の貫通孔６ａの周壁部分は下方に延びていて、その下端部には貫通孔６ａ内に突出する断面略Ｌ字状の係止突起７が全周または複数に分割されて設けられている。
【００１５】
マット３は、マットピン９を挿入するためのマット穴３ａが形成され、その上面３ｂと下面３ｃにはそれぞれ断面略台形状の凹部５ａ、５ｂが形成されている。凹部５ａ、５ｂは例えば円錐台形状に形成され、凹部５ａ、５ｂの底面の間にマット穴３ａが形成されている。
図３及び図４において、マット３を担架２のカバー４に固定するマットピン９は、略棒状に形成されており、その上端部にはマット３を押さえる拡径頭部９ａが形成されている。マットピン９の軸部において、拡径頭部９ａの下側には拡径部９ｂを介して拡径部９ｂより小径の摺動軸部９ｃが所定長さに亘って形成され、摺動軸部９ｃの下端部には全周に拡径された係止突部９ｄが形成されている。凹部５ａ内に設けられたマットピン９の拡径頭部９ａは、マット３の上面３ｂより低い位置にある。
【００１６】
係止突部９ｄの下側は摺動軸部と略同径で延びており、段付き部９ｅを介して更に小径化されてアダプター６の係止突起７に当接するガイド軸部９ｆが形成されている。そして、ガイド軸部９ｆの下端部には径方向にスリット１０が形成され、スリット１０の外側部分は複数に分割されていて、その下端部は径方向外側に突出する係合凸部１１が形成されている。
マットピン９の下端部はスリット１０で複数に分割されることで、係合凸部１１には径方向に弾性が付与されている。そのため、マットピン９をアダプター６の貫通孔６ａに挿入する際、係合凸部１１が弾性で縮径されて係止突起７を通過する。貫通孔６ａに挿入されたマットピン９は、係合凸部１１と係止突起７によって抜けが規制される。
【００１７】
また、マットピン９には、摺動軸部９ｃの部分をワッシャー１３の穴１３ａに摺動可能に挿入させている。ワッシャー１３は中央に穴１３ａが形成されたリング状であり、摺動軸部９ｃの上側の拡径部９ｂと下側の係止突部９ｄとの間で摺動軸部９ｃに沿って摺動可能とされている。しかも、ワッシャー１３はマットピン９の拡径頭部９ａとの間で凹部５ａ、５ｂ間のマット３を挟んで支持している。マット３の下面３ｃに設けた凹部５ｂ内を、マットピン３の摺動軸部９ｃに沿ってワッシャー１３が昇降移動することを許容している。
【００１８】
図２に示すように、マット３に要介護者が載置されない状態、即ちマット３が圧縮されない状態で、ワッシャー１３は、マットピン９の係止突部９ｄに係止して、マット３の下面３ｃとの間に保持されている。図５に示すように、マット３に要介護者が載置された状態、即ち、マット３が圧縮された状態で、マットピン９も押されてワッシャー１３がマット３とアダプター６の上部フランジ部６ｃとの間で保持されている。特に、要介護者の肘等がマットピン９に当接していると、マットピン９は下方に押圧されてワッシャー１３をアダプター６の上部フランジ部６ｃに当接させている。
上述のようにマット係止部材１は、マットピン９と、ワッシャー１３と、アダプター６とで構成されている。マットピン９と、ワッシャー１３と、アダプター６は例えば合成樹脂で成形されている。
【００１９】
本第一実施形態によるマット係止部材１は上述した構成を備えており、次にマット係止部材１の組み立て方法を説明する。
まず、担架２のカバー４の穴部４ａに上方からアダプター６を挿入する。アダプター６は略鼓型であり、下部フランジ部６ｄがカバー４の穴部４ａと略同径または小径であるため、穴部４ａにアダプター６を嵌合できる。アダプター６の上部フランジ部６ｃは穴部４ａの上部テーパ部４ｂより大径であるため、上部フランジ部６ｃが上部テーパ部４ｂの周囲のカバー４の上面に載置される。しかも、アダプター６の側面の凹曲部６ｂは、カバー４の穴部４ａに形成した上部テーパ部４ｂ及び下部テーパ部４ｃが交差する凸部に嵌合した状態に保持される。
次に、カバー４に設けたアダプター６の上部フランジ部６ｃにワッシャー１３を載置させ、貫通孔６ａに穴１３ａを一致させる。
【００２０】
そして、担架２のカバー４の上にマット３を載置させ、マット３のマット穴３ａをワッシャー１３の穴１３ａにほぼ一致させる。次いで、マットピン９をマット３の上方からマット穴３ａに挿入すると、ワッシャー１３の穴１３ａを介してアダプター６の貫通孔６ａに挿入される。マットピン９をマット３のマット穴３ａに挿入する際、垂直に挿入しないと担架２に嵌合させたアダプター６の貫通孔６ａに進入しにくいが、貫通孔６ａの上方でワッシャー１３の穴１３ａを通過することでガイドされ、マットピン９の垂直な挿入を確保できる。そのため、マットピン９をアダプター６の貫通孔６ａへ確実に挿入することができる。
【００２１】
マットピン９をアダプター６の貫通孔６ａに押し込むことで、図５に示すように、マットピン９の係合凸部１１がスリット１０で弾性変形して縮径されてアダプター６の係止突起７を押し広げつつ通過する。そして、マットピン９の段付き部９ｅが係止突起７に当接する位置で拡径頭部９ａがマット３の上面３ｂに当接する。この状態で、マットピン９のガイド軸部９ｆがアダプター６の係止突起７に当接して保持される。
こうして、マット３はマットピン９とアダプター６によって担架２のカバー４に取り付けられる。しかも、マットピン９の押し付けを解除すると、マット３が自己の弾性で復帰するため、ワッシャー１３は拡径頭部９ａとの間でマット３を挟んだ状態でマットピン９と共に上昇し、図２に示す位置に保持される。この位置で、ワッシャー１３はマットピン９の係止突部９ｄに係止されている。
【００２２】
次に、マット３を装着した担架２の使用方法について説明する。
図２に示すように、マット３に要介護者が乗っていない状態では、マットピン９の拡径頭部９ａとワッシャー１３とでマット３を挟んで、ワッシャー１３がアダプター６の上部フランジ部６ｃから上方に離間した位置に保持される。
この状態から、入浴等のために要介護者が担架２のマット３上に載せられると、その重さでマット３が下方のカバー４側に沈んで圧縮される。マット３が下方に押されるとワッシャー１３も下方に移動し、係止突部９ｄを介してマットピン９も押されて下方に押し下げられる。ワッシャー１３はマット３の降下に応じてマットピン９の摺動軸部９ｃに沿って相対的に摺動して降下し、アダプター６の上部フランジ部６ｃに当接する。
【００２３】
マットピン９が更に下方に押されると、係止突部９ｄがワッシャー１３から離間してアダプター６の貫通孔６ａ内に降下する(図５参照)。そして、段付き部９ｅがアダプター６の係止突起７に当接する下端部の位置に保持される。この状態で、要介護者は担架２によって図示しない浴槽内に移動させられて入浴できる。なお、要介護者が軽量の場合には、マット３の降下と圧縮が比較的小さく、マットピン９は係止突部９ｄが貫通孔６ａ内に降下せず、ワッシャー１３と係合状態に保持されることもある。
次に、入浴後に要介護者が担架２のマット３から降りると、マット３は圧縮状態から拡幅されつつ上昇する。そのため、マットピン９の上昇に応じてワッシャー１３が係止突部９ｄに押され、摺動軸部９ｃに沿って相対的に上昇する。そして、図２に示す上昇位置で、マット３及びマットピン９が保持される。
【００２４】
また、マット３を洗浄等のために交換するには、担架２のカバー４からマット３をマットピン９と共に引き剥がす。その際、マットピン９の下端部の係合凸部１１がスリット１０で縮径されつつアダプター６の係止突起７を乗り越えることで係合を解除される。すると、従来のマット係止ピンでは、反動でマットピンがマットから離脱するおそれがあるが、本実施形態では、マットピン９は係止突部９ｄでワッシャー１３に係止されているため、マットピン９のマット３からの離脱を阻止できる。マットピン９の拡径頭部９ａとワッシャー１３でマット３が係止保持されているため、マットピン９とマット３は分離しない。
【００２５】
上述のように本実施形態によるマット係止部材１では、マット３をマットピン９の拡径頭部９ａとワッシャー１３とで挟持し、ワッシャー１３は摺動軸部９ｃを摺動可能であると共に係止突部９ｄで係止する構造としたため、マット３の押圧時にマット３に連動してワッシャー１３を介してマットピン９を降下できる。そのため、マットピン９の拡径頭部９ａが相対的にマット３から突出することを阻止できる。
マット３を担架２のカバー４から取り外す際にもマットピン９がマット３から離脱したりすることがなく、ワッシャー１３と共に一体に取り外しできる。
また、マット３とアダプター６にマットピン９を挿入する際、マットピン９はワッシャー１３の穴１３ａをガイドとしてアダプター６の貫通孔６ａに垂直に挿入されるため、マットピン９がアダプター６に対して傾いたり倒れたりすることを防止できる。
【００２６】
なお、本発明によるマット係止部材１は、上述した第一実施形態に限定されるものではなく、本発明の要旨を逸脱しない限り適宜の変更や置換を行うことができる。これらはいずれも本発明に含まれる。以下に、本発明の他の実施形態や変形例について説明するが、上述した実施形態と同一または同様な部材、部品には同一の符号を用いてその説明を省略する。
【００２７】
次に本発明の第二実施形態によるマット係止部材１Ａについて、図６及び図７により説明する。
第二実施形態によるマット係止部材１Ａは、係止受け部であるアダプター６Ａが複数部品、例えば４部品に分離されているもので、カバー４の上側と下側から装着して組み立てる構成を有している。マットピン９とワッシャー１３は第一実施形態によるものと同一である。
即ち、アダプター６Ａは次の構成を備えている。カバー４の穴部４ａに対して上側から上部テーパ部４ｂに嵌合するアダプター部１６は、円筒部１６ａとその上部の拡径された上部フランジ１６ｂが一体形成され、中央孔１６ｃは円筒状で上部フランジ１６ｂの領域に拡径された拡径孔１６ｄが形成されている。
【００２８】
アダプター部１６の中央孔１６ｃに嵌合されるマット止め受け部１７は、略円筒状の本体筒１７ａとその上部に拡径して形成されたフランジ部１７ｂとで形成されている。本体筒１７ａはアダプター部１６の中央孔１６ｃに嵌挿され、フランジ部１７ｂは拡径孔１６ｄに着座している。マット止め受け部１７の貫通孔１７ｃ内にマットピン９が挿入される。本体筒１７ａの外周面には雄ねじ部１７ｄが形成されている。
【００２９】
また、カバー４の穴部４ａの下側から下部テーパ部４ｃに挿入されるアダプター受け１８は外周面がテーパ状に形成され、中央にマット止め受け部１７の本体筒１７ａを貫通させる穴部１８ａが形成されている。アダプター受け１８はリング状に形成され、その上面がアダプター部１６の下面と当接して保持される。アダプター受け１８の穴部１８ａを貫通する本体筒１７ａの雄ねじ部１７ｄには、下側からナット部１９の雌ねじ部１９ａが螺合される。ナット部１９を締め込むことで、アダプター部１６とマット止め受け部１７とアダプター受け１８とがカバー４の穴部４ａに一体に固定される。
【００３０】
担架２のカバー４の穴部４ａにアダプター６Ａを取り付ける際、上側のアダプター部１６と下側のアダプター受け１８が芯ずれする恐れがある。この場合でも、穴部４ａに形成された上部テーパ部４ｂ及び下部テーパ部４ｃによってアダプター部１６とアダプター受け１８の位置を調整でき、上から挿入されたマット止め受け部１７をナット部１９で締め込むことで確実に固定できる。
【００３１】
なお、アダプター６Ａは必ずしも４部品で構成しなくてもよく、適宜の１または複数部品で構成できる。例えば、アダプター部１６とマット止め受け部１７を一体に形成してもよい。或いはアダプター部１６とアダプター受け１８を一体に形成してカバー４の穴部４ａに上側から嵌合してもよい。
【００３２】
また、上述した各実施形態では、マット３を入浴用の担架２のカバー４にマット係止部材１、１Ａで取り付ける構成を採用したが、担架２に代えて入浴用の車椅子の座面と背もたれにマット３を取り付ける構成を採用してもよい。
なお、マットピン９は係止部材に含まれ、ワッシャー１３は把持部材に含まれる。
また、本発明の各実施形態によるマット係止部材１、１Ａは入浴用や介護用に限定されるものではなく、各種の用途の被着部材にマット３を取り付けるために採用できる。
【符号の説明】
【００３３】
１、１Ａ  マット係止部材
２  担架
３  マット
４  カバー
６、６Ａ  アダプター
７  係止突起
９  マットピン
９ｃ  摺動軸部
９ｄ  係止突部
１１  係合凸部
１３  ワッシャー
１６  アダプター部
１７  マット止め受け部
１８  アダプター受け
１９  ナット部
【図１】
2020012536.tif 000003
【図２】
2020012536.tif 000004
【図３】
2020012536.tif 000005
【図４】
2020012536.tif 000006
【図５】
2020012536.tif 000007
【図６】
2020012536.tif 000008
【図７】
2020012536.tif 000009
【図８】
2020012536.tif 000010